【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
可撓性の細長い部材の遠位部分における撮像組立体と；
前記可撓性の細長い部材の近位部分にあるコネクタ組立体とを有する医用撮像装置であって、前記コネクタ組立体は、前記医用撮像装置を医用撮像システムの端子に接続するよう構成され、前記コネクタ組立体は：
近位端および遠位端を有する円錐様ケーブル筐体であって、前記近位端は第一の外径を有し、前記遠位端は前記第一の外径よりも小さな第二の外径を有する円錐様ケーブル筐体と；
前面筐体であって：
少なくとも一つの電気コネクタを受け入れるような大きさおよび形状にされた開口、および
前記円錐様ケーブル筐体の近位端の周の一部を受け入れるよう構成された半円形エッジ凹部を含む前面筐体と；
前記円錐様ケーブル筐体の近位端の周の一部に結合するよう構成された半円形エッジ凹部を含む背面筐体と；
前記前面筐体に固定されるよう構成された前面内部フレームと；
前記背面筐体に固定されるよう構成された背面内部フレームと；
少なくとも一つのプリント回路基板であって、前記前面内部フレームが前記背面内部フレームに固定されたとき、その平面方向に沿って、前記前面内部フレームと前記背面内部フレームとの間でしっかりとクランプされるよう構成されたプリント回路基板とを有する、
医用撮像装置。
【請求項２】
前記背面内部フレームが、フェライト管の一部を受け入れるような大きさおよび形状にされた凹部を備える、請求項１記載の医用撮像装置。
【請求項３】
前記背面筐体が、前記フェライト管の一部を受け入れるような大きさおよび形状にされた凹部を備える、請求項２記載の医用撮像装置。
【請求項４】
前記少なくとも一つのプリント回路基板が二つのプリント回路基板を含み、前記二つのプリント回路基板の一部は、前記背面内部フレームに配置されたスロットに挿入される、請求項１に記載の医用撮像装置。
【請求項５】
前記コネクタ組立体がさらにガスケットを有しており、
前記前面筐体は、前記ガスケットの一部を受け入れるよう構成された第一の溝を含み、前記第一の溝は、前記半円形エッジ凹部に位置された第一の湾曲した溝を含み、
前記背面筐体は、前記ガスケットの一部を受け入れるよう構成された第二の溝を含み、前記第二の溝は、前記半円形エッジ凹部に位置された第二の湾曲した溝を含み、
前記前面筐体が前記前面内部フレームに固定され、前記背面筐体が前記背面内部フレームに固定されると、前記ガスケットが、前記第一の溝と前記第二の溝との間および前記第一および第二の湾曲した溝と前記円錐様ケーブル筐体の近位端の周との間に配置される、
請求項１記載の医用撮像装置。
【請求項６】
前記ガスケットは、第一の平面に沿って延在する矩形部材と、第二の平面に沿って延在する円形部材とを含む、請求項５記載の医用撮像装置。
【請求項７】
前記第一の平面は第一の法線方向をもち、前記第二の平面は第二の法線方向をもち、前記第一の法線方向は前記第二の法線方向に垂直である、請求項６記載の医用撮像装置。
【請求項８】
前記円錐様ケーブル筐体の近位端の前記周が、前記ガスケットの一部を受け入れるよう構成された第三の溝を備える、請求項５記載の医用撮像装置。
【請求項９】
前記ガスケットが第一のガスケットであり、
前記コネクタ組立体がさらに第二のガスケットを有しており、前記前面内部フレームは、前記第二のガスケットの一部を受け入れるよう構成された第三の溝を備え、
前記前面筐体が前記前面内部フレームに固定されると、前記第二のガスケットが前記前面筐体と前記第三の溝との間に配置される、
請求項５記載の医用撮像装置。
【請求項１０】
前記少なくとも一つの電気コネクタは、少なくとも一つのオス型ZIFコネクタに電気的に接続されるよう構成された少なくとも一つのオス型ゼロ挿入力（ZIF）コネクタである、請求項１記載の医用撮像装置。
【請求項１１】
医用撮像装置を医用撮像システムの端子に接続するための医用撮像装置コネクタ組立体であって、当該医用撮像装置コネクタ組立体は：
近位端および遠位端を有する円錐様ケーブル筐体であって、前記近位端は第一の外径を有し、前記遠位端は前記第一の外径よりも小さな第二の外径を有する円錐様ケーブル筐体と；
前面筐体であって：
少なくとも一つの電気コネクタを受け入れるような大きさおよび形状にされた開口、および
前記円錐様ケーブル筐体の近位端の周の一部を受け入れるよう構成された半円形エッジ凹部を含む前面筐体と；
前記円錐様ケーブル筐体の近位端の周の一部に結合するよう構成された半円形エッジ凹部を含む背面筐体と；
前記前面筐体に固定されるよう構成された前面内部フレームと；
前記背面筐体に固定されるよう構成された背面内部フレームと；
少なくとも一つのプリント回路基板であって、前記前面内部フレームが前記背面内部フレームに固定されたとき、その平面方向に沿って、前記前面内部フレームと前記背面内部フレームとの間でしっかりとクランプされるよう構成されたプリント回路基板とを有する、
医用撮像装置コネクタ組立体。
【請求項１２】
前記背面内部フレームが、フェライト管の一部を受け入れるような大きさおよび形状にされた凹部を備える、請求項１１記載の医用撮像装置コネクタ組立体。
【請求項１３】
前記背面筐体が、前記フェライト管の一部を受け入れるような大きさおよび形状にされた凹部を備える、請求項１２記載の医用撮像装置コネクタ組立体。
【請求項１４】
前記少なくとも一つのプリント回路基板が二つのプリント回路基板を含み、前記二つのプリント回路基板の一部は、前記背面内部フレームに配置されたスロットに挿入される、請求項１１に記載の医用撮像装置コネクタ組立体。
【請求項１５】
前記コネクタ組立体がさらにガスケットを有しており、
前記前面筐体は、前記ガスケットの一部を受け入れるよう構成された第一の溝を含み、前記第一の溝は、前記半円形エッジ凹部に位置された第一の湾曲した溝を含み、
前記背面筐体は、前記ガスケットの一部を受け入れるよう構成された第二の溝を含み、前記第二の溝は、前記半円形エッジ凹部に位置された第二の湾曲した溝を含み、
前記前面筐体が前記前面内部フレームに固定され、前記背面筐体が前記背面内部フレームに固定されると、前記ガスケットが、前記第一の溝と前記第二の溝との間および前記第一および第二の湾曲した溝と前記円錐様ケーブル筐体の近位端の周との間に配置される、
請求項１１記載の医用撮像装置コネクタ組立体。
【請求項１６】
前記ガスケットは、第一の平面に沿って延在する矩形部材と、第二の平面に沿って延在する円形部材とを含む、請求項１５記載の医用撮像装置コネクタ組立体。
【請求項１７】
前記第一の平面は第一の法線方向をもち、前記第二の平面は第二の法線方向をもち、前記第一の法線方向は前記第二の法線方向に垂直である、請求項１６記載の医用撮像装置コネクタ組立体。
【請求項１８】
前記円錐様ケーブル筐体の近位端の前記周が、前記ガスケットの一部を受け入れるよう構成された第三の溝を備える、請求項１５記載の医用撮像装置コネクタ組立体。
【請求項１９】
前記ガスケットが第一のガスケットであり、
前記コネクタ組立体がさらに第二のガスケットを有しており、前記前面内部フレームは、前記第二のガスケットの一部を受け入れるよう構成された第三の溝を備え、
前記前面筐体が前記前面内部フレームに固定されると、前記第二のガスケットが前記前面筐体と前記第三の溝との間に配置される、
請求項１５記載の医用撮像装置コネクタ組立体。
【請求項２０】
前記少なくとも一つの電気コネクタは、少なくとも一つのオス型ZIFコネクタに電気的に接続されるよう構成された少なくとも一つのオス型ゼロ挿入力（ZIF）コネクタである、請求項１１記載の医用撮像装置コネクタ組立体。